(57)【要約】【課題】本発明の課題は、電話番号書込み装置、電話番号発信装置、及び、電話番号書込み発信装置を提供することである。【解決手段】電話番号書込み発信装置３は、電話番号書込み装置１と、電話番号発信装置２とを含む。電話番号書込み装置１は、ＰＣ４が送信する電話番号Ｎ１１〜Ｎ１３を書込み制御部１５への格納、及び、書込み制御部１５に格納した電話番号Ｎ１１〜Ｎ１３の電話番号発信装置２への送信を指定する。電話番号発信装置２は、電話番号書込み装置１と接続されることを前提として、番号記録領域２５１に格納された電話番号Ｎ２１〜Ｎ２３を削除し、電話番号書込み装置１の送信した電話番号Ｎ１１〜Ｎ１３を格納する。【選択図】図３
2015126363.tif 000002
【特許請求の範囲】
【請求項１】
書込み制御部と、書込み操作部とを含む電話番号書込み装置であって、
前記書込み操作部は、第１の外部装置が送信する電話番号の前記書込み制御部への格納、及び、前記書込み制御部に格納した電話番号の前記第２の外部装置への送信を指定する、
電話番号書込み装置。
【請求項２】
発信制御部を含み、電話機と通信回線との間に取り付けられる電話番号発信装置であって、
前記発信制御部は、その内部に格納された電話番号を前記通信回線に送信する機能を有するものあって、請求項１に記載された電話番号書込み装置と接続されることを前提として、その内部に格納された電話番号を削除し、前記電話番号書込み装置の送信した電話番号を格納する、
電話番号発信装置。
【請求項３】
電話番号書込み装置と、電話番号発信装置と含む電話番号書込み発信装置であって、
前記電話番号書込み装置は、請求項１に記載された電話番号書込み装置であり、
前記電話番号発信装置は、請求項２に記載された電話番号発信装置である、
電話番号書込み発信装置。
【発明の詳細な説明】
【技術分野】
【０００１】
本発明は、電話番号書込み装置、電話番号発信装置、及び、電話番号書込み発信装置に関する。
【背景技術】
【０００２】
従来、固定電話機に対して、短縮ダイアル機能を備えた電話番号発信装置を後付けし、電話番号の発信操作を容易化する技術が知られている。
【０００３】
このような技術は、例えば、特許文献１に示されている。特許文献１の電話番号発信装置は、電話機とＮＴＴなど汎用の電話回線網との間に介装されるものであって、当該装置を利用すれば、当該装置の電話帳データベース手段から所望の電話番号を選択するだけで、電話機に代わって、所望の電話番号を発信することができる。
【０００４】
このような電話番号発信装置は、電話番号の発信操作を行う前に、電話帳データベース手段に電話番号を入力して、登録しておく必要がある。しかし、電話番号の入力ミスが生じると、所望の電話番号が正確に登録されず、誤った電話番号が発信される不具合が生じる。
【０００５】
また、当該装置は、登録された電話番号が不用意に削除されることなく、適切に管理される必要がある。しかし、当該装置に備えられた操作キーによって電話番号の消去が行える仕組みになっている場合には、操作キーの誤操作によって既に登録されている電話番号が削除されてしまう不具合が生じる。
【０００６】
したがって、電話番号発信装置は、電話番号が正確に登録され、かつ、電話番号が不用意に削除されることのない仕組みが必要とされる。
【先行技術文献】
【特許文献】
【０００７】
【特許文献１】特開２０００−２２７９９号公報
【発明の概要】
【発明が解決しようとする課題】
【０００８】
本発明の課題は、電話番号を正確に格納する電話番号書込み装置を提供することである。
【０００９】
本発明のもう一つの課題は、電話番号が正確に登録され、かつ、電話番号が不用意に削除されることのない電話番号発信装置を提供することである。
【００１０】
本発明の更にもう一つの課題は、電話番号書込み装置と、電話番号発信装置とを含む電話番号書込み発信装置を提供することである。
【課題を解決するための手段】
【００１１】
上述した課題を解決するため、本発明に係る電話番号書込み装置は、書込み制御部と、書込み操作部とを含む。書込み操作部は、第１の外部装置が送信する電話番号の前記書込み制御部への格納、及び、書込み制御部に格納した電話番号の第２の外部装置への送信を指定する。
【００１２】
このような構成によると、電話番号書込み装置は、当該装置を利用する者の意図に基づいて、第１の外部装置を用いて所望の電話番号を内部に予め正確に格納し、また、その電話番号を第２の外部装置に送信できる。
【００１３】
本発明に係る電話番号発信装置は、前述した第２の外部装置に相当し、電話機と通信回線との間に取り付けられるものであって、発信制御部を含む。発信制御部は、その内部に格納された電話番号を通信回線に送信する機能を有するものあって、前述した電話番号書込み装置と接続されていることを前提として、その内部に格納された電話番号を削除し、書込み装置の送信した電話番号を格納する。
【００１４】
電話番号発信装置は、電話機と通信回線との間に取り付けられるものであって、発信制御部を含み、発信制御部が、その内部に格納された電話番号を通信回線に送信する機能を有するため、当該装置を利用する者の電話機での電話番号の入力作業を簡易化、又は、省略化し、その者が極めて簡単にＮＴＴなどの汎用の電話回線網に電話番号を発信することを可能にする。
【００１５】
電話番号発信装置は、発信制御部が前述した電話番号書込み装置と接続されることを前提として、書込み装置の送信した電話番号を格納するため、所望の電話番号を予め電話番号書込み装置に正確に格納しておけば、電話番号書込み装置１からその電話番号を受信することによって、所望の電話番号を正確に登録することができる。
【００１６】
電話番号発信装置は、発信制御部が前述した電話番号書込み装置と接続されていることを前提として、その内部に格納された電話番号を削除するため、電話番号の削除作業には電話番号書込み装置が必要となる。その結果、既に登録されている電話番号が不用意に削除されることはなくなる。
【００１７】
本発明に係る電話番号書込み発信装置は、前述した電話番号書込み装置と、電話番号発信装置とを含むため、電話番号発信装置を利用する者は、電話番号書込み装置、及び、電話番号発信装置の機能に基づき、所望の電話番号を極めて簡単に発信し、また、登録した電話番号を不用意に削除することがなくなる。
【発明の効果】
【００１８】
以上に述べたように、本発明によれば、電話番号を正確に格納することのできる電話番号書込み装置を提供することができる。
【００１９】
また、本発明によれば、電話番号が正確に登録され、かつ、電話番号が不用意に削除されることのない電話番号発信装置を提供することができる。
【００２０】
さらに、本発明によれば、電話番号書込み装置と、電話番号発信装置とを含む電話番号書込み発信装置を提供することができる。
【００２１】
本発明の構成、及び、利点については、添付図面を参照し、更に詳しく説明する。添付図面は、単に、例示に過ぎない。
【図面の簡単な説明】
【００２２】
【図１】本発明の実施形態に係る電話番号書込み装置のブロック図である。
【図２】本発明の実施形態に係る電話番号発信装置のブロック図である。
【図３】本発明の実施形態に係る電話番号書込み発信装置に配線を施した状態を示すブロック図である。
【発明を実施するための形態】
【００２３】
図１〜図３において、同一又は対応部分には、同一の符号を付与してある。図１を参照すると、本発明の実施形態に係る電話番号書込み装置１は、受信用コネクタ１１と、送信用コネクタ１３と、書込み制御部１５と、書込み操作部１７とを含んでおり、全体として人の手で容易に持ち運べる寸法、及び、重量になっている。また、電話番号書込み装置１は、公知の電源手段（図示省略）を備えている。
【００２４】
受信用コネクタ１１は、通信ケーブルを取り外し可能に接続することができ、この通信ケーブルを介してＰＣ４に代表される第１の外部装置に接続される。第１の外部装置は、予め複数の所望の電話番号を保有しており、電話番号書込み装置に１に送信する機能を備えている。送信用コネクタ１３は、通信ケーブルを取り外し可能に接続することができ、この通信ケーブルを介して、後述する電話番号発信装置２に代表される第２の外部装置に接続される。
【００２５】
書込み制御部１５は、番号記録領域１５１と、信号処理部１５３とを含んでいる。番号記録領域１５１は、第１の外部装置から送信される電話番号を任意の数だけ格納することができる。図示した範囲において、番号記録領域は１５１は、第１の外部装置から送信される、３つの所望の電話番号Ｎ１１〜Ｎ１３を格納することができる構成となっている。信号処理部１５３は、後述する書込み操作信号Ｓ１を供給された状態において、受信用コネクタ１１に第１の外部装置が接続されると、番号記録領域１５１に電話番号Ｎ１１〜Ｎ１３を格納する。また、信号処理部１５３は、送信用コネクタ１３に第２の外部装置が接続されている状態において、書き込み操作信号Ｓ１を供給されると、番号記録領域１５１に格納した電話番号Ｎ１１〜Ｎ１３を選択し、その選択した電話番号Ｎ１１〜Ｎ１３を第２の外部装置に送信する。
【００２６】
書込み操作部１７は、外部からの操作を受けることによって、信号処理部１５３に書込み操作信号Ｓ１を供給し、電話番号Ｎ１１〜Ｎ１３の番号記録領域１５１への格納、及び、番号記録領域１５１に格納した電話番号Ｎ１１〜Ｎ１３の第２の外部装置への送信を指定する。書込み操作部１７は、書込み開始ボタン（図示省略）を含んでおり、この書込み開始ボタンが押されることによって、外部からの操作を受けることになる。
【００２７】
図２は、本発明の実施形態に係る電話番号発信装置のブロック図である。図２を参照すると、本発明の実施形態に係る電話番号発信装置２は、第１端子２１１と、第２端子２１２と、受信用コネクタ２２と、発信回路部２３と、フック検知部２４と、発信制御部２５と、発信操作部２６と、切換回路部２７とを含んでいる。電話番号発信装置２は、電話機５と、通信回線６との間に取り付けられるものである。通信回線６は、典型的にはＮＴＴなどの汎用の電話回線網である。また、電話番号発信装置２は、公知の電源手段（図示省略）を備えている。
【００２８】
第１端子２１１は、電話機５に接続される入出力端子であり、第２端子２１２は、通信回線６に接続される入出力端子である。受信用コネクタ２２は、通信ケーブルを介して、図１に示された電話番号書込み装置１に接続される。発信回路部２３は、切換回路部２７を介して第２端子２１２に接続されており、第２端子２１２を通じて通信回線６に接続される。
【００２９】
フック検知部２４は、切換回路部２７を介して通信回線６に接続され、電話機５の通信開始動作（オフフック動作）を検知したときフック信号Ｓ２を生成し、生成したフック信号Ｓ２を発信制御部２５に供給する。また、フック検知部２４は、第１端子２１１を介して電話機５に接続され、かつ、切換回路部２７を介して第２端子２１２に接続されている。
【００３０】
発信制御部２５は、番号記録領域２５１と、信号処理部２５２とを含んでいる。番号記録領域２５１は、電話番号を任意の数だけ格納することができる。図示した範囲において、番号記録領域２５１は、既に、３つの電話番号Ｎ２１〜Ｎ２３が格納された状態となっている。
【００３１】
図示した範囲からは必ずしも明らかではないが、信号処理部２５２は、フック信号Ｓ２が供給されたとき、切換回路部２７に切換開始信号Ｓ４１を供給し、切換回路部２７の接続をフック検知部２４の側（電話機５の側）から発信回路部２３の側に切り替える。切換回路部２７は、発信回路部２３と、フック検知部２４との間で切換処理を行う回路要素であって、第２端子２１２に接続され、発信制御部２５から切換開始信号Ｓ４１が供給されたとき、フック検知部２４の側から発信回路部２３の側に接続を切り替える。
【００３２】
発信操作部２６は、番号記録領域２５１に格納されている電話番号Ｎ２１〜Ｎ２３を指定する。発信操作部２６は、番号記録領域２５１に格納されている電話番号Ｎ２１〜Ｎ２３と一対一の対応関係にある第１〜第３発信ボタン（図示省略）を含んでいる。第１発信ボタンが電話番号Ｎ２１に対応し、第２ボタンが電話番号Ｎ２２に対応し、第３ボタンが電話番号Ｎ２３に対応している。例えば、電話番号Ｎ２１を指定するときは第１発信ボタンを選択し、電話番号Ｎ２２を指定するときは第２発信ボタンを選択し、電話番号Ｎ２３を指定するときは第３発信ボタンを選択する。第１〜第３発信ボタンのそれぞれは、選択されると第１〜第３発信信号Ｓ３１〜Ｓ３３を信号処理部２５２に供給する。第１〜第３発信ボタンの選択は、外部からの操作を受けること、例えば、ボタンが押されることによって実行される。
【００３３】
信号処理部２５２は、番号記録領域２５１に格納されている電話番号Ｎ２１〜Ｎ２３を発信回路部２３を介して通信回線６に送信する。信号処理部２５２は、発信操作部２６において第１発信ボタンが選択され、第１発信信号Ｓ３１の供給を受けたとき、番号記録領域２５１から電話番号Ｎ２１を選択し、選択した電話番号Ｎ２１を発信回路部２３を経由して通信回線６に送信する。信号処理部２５２は、発信操作部２６において第２発信ボタンが選択され、第２発信信号Ｓ３２の供給を受けたとき、番号記録領域２５１から電話番号Ｎ２２を選択し、選択した電話番号Ｎ２２を発信回路部２３を経由して通信回線６に送信する。信号処理部２５２は、発信操作部２６において第３発信ボタンが選択され、第３発信信号Ｓ３３の供給を受けたとき、番号記録領域２５１から電話番号Ｎ２３を選択し、選択した電話番号Ｎ２３を発信回路部２３を経由して通信回線６に送信する。
【００３４】
発信制御部２５は、上述した電話番号Ｎ２１〜Ｎ２３の送信後、予め定められた所定の時間が経過したとき、切換回路部２７に対して切換終了信号Ｓ４２を供給し、切換回路部２７をフック検知部２４の側に接続する。
【００３５】
電話機５は、切換回路部２７がフック検知部２４の側に接続された状態で、電話番号発信装置２を介して通信回線６と接続され、その本来的な機能および操作に基づいて通信を行うことができる。
【００３６】
電話番号発信装置２は、信号処理部２５２を電話番号更新モードに設定できることを特徴としている。例えば、信号処理部２５２に第１及び第３発信信号Ｓ３１，Ｓ３３を同時に供給することによって信号処理部２５２を電話番号更新モードに設定することができる。
【００３７】
信号処理部２５２は、電話番号更新モードに設定された状態において、受信用コネクタ２２に接続された電話番号書込み装置１から電話番号Ｎ１１〜Ｎ１３を受信すると、番号記録領域２５１に格納されている電話番号Ｎ２１〜Ｎ２３を削除する。信号処理部２５２は、番号記録領域２５１において電話番号Ｎ２１〜Ｎ２３を削除すると、番号記録領域２５１に電話番号書込み装置１から受信した電話番号Ｎ１１〜Ｎ１３を新たに格納する。
【００３８】
このことからも明らかなとおり、信号処理部２５２は、電話番号更新モードに設定された状態にあれば、電話番号書込み装置１と接続されていることを前提として、番号記録領域２５１に格納されている電話番号Ｎ２１〜Ｎ２３を削除し、電話番号書込み装置１の送信した電話番号Ｎ１１〜Ｎ１３を番号記録領域２５１に格納する。
【００３９】
図３は、本発明の実施形態に係る電話番号書込み発信装置に配線を施した状態を示すブロック図である。図３を参照すると、本発明の実施形態に係る電話番号書込み発信装置３は、図１に示した電話番号書込み装置１と、図２に示した電話番号発信装置２、及び、通信回線６とを含んでいる。
【００４０】
電話番号発信装置２は、第１端子２１１が接続コード７１を介して電話機５に接続されており、また、第２端子２１２が通信回線６に接続されており、電話機５と、通信回線６との間に介装された状態になっている。電話機５は、電話番号発信装置２を介して、３つの通話先５１〜５３に接続されている。電話番号発信装置２の番号記録領域２５１に既に格納されている電話番号Ｎ２１〜Ｎ２３は、それぞれ、通話先５１〜５３に対応している。通話先５１〜５３は、例えば、頻繁に連絡を取りたい相手を想定することができる。電話番号書込み装置１は、受信用コネクタ１１に通信ケーブル７２が取り外し可能に接続されており、ＰＣ４と接続されている。また、電話番号書込み装置１は、送信用コネクタ１３に通信ケーブル７３が取り外し可能に接続されており、信号処理部１５３が電話番号発信装置２の信号処理部２５２と接続されている。
【００４１】
電話番号発信装置２は、発信操作部２６において、電話番号Ｎ２１が指定されると、通話先５１にアクセスし、その結果、電話機５と通話先５１との通信が可能になる。電話番号発信装置２は、発信操作部２６において、電話番号Ｎ２２が指定されると、通話先５２にアクセスし、その結果、電話機５と通話先５２との通信が可能になり、また、発信操作部２６において、電話番号Ｎ２３が指定されると、通話先５３にアクセスし、その結果、電話機５と通話先５３との通信が可能になる。この電話番号発信装置２を利用した発信手順を以下において、より詳細に説明する。
【００４２】
（発信手順１）
電話番号発信装置２を利用して電話をする者（以下において、単に「電話する者」と称する）が、通信回線６に接続された通話先５１〜５３との通信を行うために、自ら管理する電話機５の受話器を持ち上げる（オフフック動作）と、電話機５からオフフック状態を示す電気信号が生成され、生成された前記信号が、接続コード７１、及び、第１端子２１１を介してフック検知部２４に供給される。フック検知部２４は、電話機５の生成した前記信号を検知したときフック信号Ｓ２を生成し、生成したフック信号Ｓ２を発信制御部２５に供給する。
【００４３】
（発信手順２）
電話する者は、受話器をオフフック状態にしたまま、所望の通話先５１〜５３に電話できるように発信操作部２６を操作する。具体的には、電話する者は、通話先５１に電話するときに第１発信ボタンを選択し、通話先５２に電話するときに第２発信ボタンを選択し、通話先５３に電話をするときに第３発信ボタンを選択する。発信操作部２６は、選択したボタン操作に応じて第１〜第３発信信号Ｓ３１〜Ｓ３３を生成し、その生成した第１〜第３信号Ｓ３１〜Ｓ３２を発信制御部２５の信号処理部２５２に供給する。
【００４４】
（発信手順３）
切換回路部２７は基本的にフック検知部２４の側に接続され、第１端子２１１は、フック検知部２４、及び、切換回路部２７を介して第２端子２１２に接続されていることにより、実質的に、電話機５が通信回線６に接続されている状態となっている。図示した範囲からは必ずしも明らかではないが、発信制御部２５は、フック検知部２４からフック信号Ｓ２が供給され、電話機５がオフフック状態となっていることを条件として、発信操作部２６から第１〜第３信号Ｓ３１〜Ｓ３３のうち何れかの信号が供給されたとき、切換回路部２７に対して切換開始信号Ｓ４１を供給し、切換回路部２７による電気的な接続が発信回路部２３の側に切り替わり、発信回路部２３が第２端子２１２を介して通信回線６に接続される。違う言葉で表現すれば、切換開始信号Ｓ４１は、フック信号Ｓ２、及び、第１〜第３信号Ｓ３１〜Ｓ３３のうち何れかの信号の供給をトリガーとして、発信制御部２５から切換回路部２７に供給される。
【００４５】
（発信手順４）
発信制御部２５は、信号処理部２５２が発信操作部２６から供給された第１〜第３発信信号Ｓ３１〜Ｓ３３に基づき、電話番号Ｎ２１〜Ｎ２３の何れかを抽出して発信回路部２３に供給し、発信回路部２３は信号処理部２５２から供給された電話番号Ｎ２１〜Ｎ２３を、切換回路部２７を介して第２端子２１２から通信回線６に出力する動作（発呼動作）を行う。
【００４６】
（発信手順５）
発信制御部２５は、発信回路部２３が発呼動作した後、予め定められた所定の時間が経過したとき、切換回路部２７に対して切換終了信号Ｓ４２を供給することにより、発信回路部２３と第２端子２１２との接続を切断し、切換回路部２７をフック検知部２４の側に接続することにより、再び電話機５と通信回線６とを接続する。
【００４７】
（発信手順６）
通話先５１〜５３が発呼動作に応答すれば、電話する者は、電話機５を通じて通話先５１〜５３と通話することが可能となる。通話が終了した後、電話機５の受話器を置くと、通話先５１〜５３との通信が終了する。図示した範囲からは必ずしも明らかではないが、受話器を置くと、オンフック状態を示す動作信号が生成され、生成された動作信号が第１端子２１１を介してフック検知部２４に供給される。フック検知部２４は、動作信号を検知したときオンフック信号を生成し、生成したオンフック信号が発信制御部２５に供給されることにより、通信状態の維持に必要な回路要素の起動状態が解除される。
【００４８】
電話番号発信装置２は、電話番号書込み装置１を利用して、電話番号発信装置２に格納されている電話番号Ｎ２１〜Ｎ２３を削除し、電話番号発信装置２に新たな電話番号Ｎ１１〜Ｎ１３を格納することを特徴とする。この電話番号の更新手順を以下において、より詳細に説明する。
【００４９】
（更新手順１）
電話番号書込み装置１における書込み操作部１７の書込み開始ボタンを押し、信号処理部１５３に書込み操作信号Ｓ１を供給し、信号処理部１５３が書込み操作信号Ｓ１の供給を受ける。続いて、電話番号書込み装置１の受信用コネクタ１１に通信ケーブル７２を接続し、電話番号書込み装置１とＰＣ４とを通信ケーブル７２によって接続した状態とする。すると、信号処理部１５３は、番号記録領域１５１にＰＣ４の送信する電話番号Ｎ１１〜Ｎ１３を格納する。
【００５０】
（更新手順２）
電話番号発信装置２を電話番号更新モードに設定した状態にし、電話番号発信装置２の受信用コネクタ２２、及び、電話番号書込み装置１の送信用コネクタ１３に通信ケーブル７３を接続して、通信ケーブル７３を介して電話番号書込み装置１と電話番号発信装置２とを接続した状態とする。
【００５１】
（更新手順３）
電話番号書込み装置１の書込み操作部１７の書込み開始ボタンを押し、信号処理部１５３に書き込み操作信号Ｓ１を供給する。信号処理部１５３は、書き込み操作信号Ｓ１の供給を受けると、番号記録領域１５１に格納した電話番号Ｎ１１〜Ｎ１３を選択し、通信ケーブル７３を通じて、その選択した電話番号Ｎ１１〜Ｎ１３を電話番号発信装置２の信号処理部２５２に送信する。信号処理部２５２は、電話番号書込み装置１の送信した電話番号Ｎ１１〜Ｎ１３を受信すると、番号記録領域２５１に格納されている電話番号Ｎ２１〜Ｎ２３を削除し、番号記録領域２５１に電話番Ｎ１１〜Ｎ１３を新たに格納する。
【００５２】
以上の更新手順を経ると、電話番号発信装置２は、前述した発信手順のうち電話番号Ｎ２１〜Ｎ２３を電話番号Ｎ１１〜Ｎ１３に置き換えた手順にしたがって、電話機５と電話番Ｎ１１〜Ｎ１３に対応した通話先（図示省略）との通信を可能にする。
【００５３】
図３に図示した範囲においては、電話番号書込み装置１が通信ケーブル７２，７３を介して、ＰＣ４、及び、電話番号発信装置２の双方に接続された状態になっているが、電話番号書込み装置１と電話番号発信装置２とを切り離した状態であっても、電話番号書込み装置１にＰＣ４が接続された状態にあれば、電話番号書込み装置１は、更新手順に示したとおり番号記録領域１５１に電話番号Ｎ１１〜Ｎ１３を格納することができる。
【００５４】
また、電話番号書込み装置１とＰＣ４とを切り離した状態であっても、電話番号書込み装置１が電話番号発信装置２に接続された状態にあれば、電話番号書込み装置１は、更新手順に示したとおり、番号記録領域１５１に格納した電話番号Ｎ１１〜Ｎ１３を電話番号発信装置２に送信し、電話番号発信装置２も、更新手順に示したとおり、番号記録領域２５１に格納されている電話番号Ｎ２１〜Ｎ２３を削除し、電話番号Ｎ１１〜Ｎ１３を新たに格納することができる。
【００５５】
本発明に係る電話番号書込み装置１は、書込み制御部１５を含んでおり、書込み制御部１５が番号記録領域１５１と、信号処理部１５３とを含んでいる。番号記録領域１５１は、電話番号Ｎ１１〜Ｎ１３を格納することができる。信号処理部１５３は、番号記録領域１５１にＰＣ４に代表される第１の外部装置が送信する電話番号Ｎ１１〜Ｎ１３を格納する。信号処理部１５３は、番号記録領域１５１に格納されている電話番号Ｎ１１〜Ｎ１３を選択し、その選択した電話番号Ｎ１１〜Ｎ１３を電話番号発信装置２に代表される第２の外部装置に送信する。
【００５６】
このような構成によると、電話番号書込み装置１は、第１の外部装置を用いて、所望の電話番Ｎ１１〜Ｎ１３を内部に正確に格納し、その後、電話番号Ｎ１１〜Ｎ１３を第２の外部装置に送信できる。
【００５７】
電話番号書込み装置１は、電話番号書込み操作部１７を含んでおり、書込み操作部１７が外部からの操作を受けることによって信号処理部１５３に書込み操作信号Ｓ１を供給し、書込み操作部１７が第１の外部装置の送信する電話番号Ｎ１１〜Ｎ１３の番号記録領域１５１への格納、及び、番号記録領域１５１に格納した電話番号Ｎ１１〜Ｎ１３の第２の外部装置への送信を指定する。
【００５８】
このような構成によると、電話番号書込み装置１は、書込み操作部１７に対する当該装置を利用する者の意図的な操作に基づいて、電話番号Ｎ１１〜Ｎ１３を内部に格納する機能、及び、電話番号Ｎ１１〜Ｎ１３を外部装置に送信する機能を発揮することができる。
【００５９】
電話番号書込み装置１は、人の手で容易に持ち運べる寸法、及び、重量になっており、受信用コネクタ１１と、送信用コネクタ１３とを含んでいる。受信用コネクタ１１は、通信ケーブル７２を取り外し可能に接続することができ、この通信ケーブル７２を介して第１の外部装置に接続される。送信用コネクタ１３は、通信ケーブル７３を取り外し可能に接続することができ、この通信ケーブル７３を介して、第２の外部装置に接続される。
【００６０】
このような構成によると、電話番号書込み装置１は、第１及び第２の外部装置から取り外して、人の手で容易に持ち運べるため、ポータブル性能に優れたものとなる。
【００６１】
電話番号発信装置２は、電話機５と通信回線６との間に取り付けられるものであって、発信制御部２５と、発信操作部２６とを含んでいる。発信制御部２５は、番号記録領域２５１と、信号処理部２５２とを含んでいる。番号記録領域２５１は、電話番号を任意の数だけ格納することができる。発信操作部２６は、番号記録領域２５１に既に格納されている電話番号Ｎ２１〜Ｎ２３を指定し、信号処理部２５２は、その指定に基づいて番号記録領域２５１に格納されている電話番号Ｎ２１〜Ｎ２３を選択し、選択した電話番号Ｎ２１〜Ｎ２３を発信回路部２３を経由して通信回線６に送信する。
【００６２】
このような構成によると、電話番号発信装置２は、電話機５と通信回線６との間に取り付けられることによって、電話する者の電話機５での電話番号Ｎ２１〜Ｎ２３の入力作業を簡易化、又は、省略化し、電話をする者が極めて簡単にＮＴＴなどの汎用の電話回線網に電話番号Ｎ２１〜Ｎ２３を発信することが可能になる。
【００６３】
電話番号発信装置２は、信号処理部２５２が電話番号更新モードに設定された状態にあれば、電話番号書込み装置１と接続されていることを前提として、電話番号書込み装置１の送信した電話番号Ｎ１１〜Ｎ１３を受信すると、番号記録領域２５１に電話番号Ｎ１１〜Ｎ１３を新たに格納する。
【００６４】
このような構成によると、電話番号発信装置２は、所望の電話番号Ｎ１１〜Ｎ１３を予め電話番号書込み装置１に正確に格納しておけば、電話番号書込み装置１から電話番号Ｎ１１〜Ｎ１３を受信することによって、所望の電話番号Ｎ１１〜Ｎ１３を正確に登録することができる。そして、電話番号発信装置２は、電話機５と電話番Ｎ１１〜Ｎ１３に対応した通話先との通信を可能にする。
【００６５】
電話番号発信装置２は、電話番号書込み装置１の書込み操作部１７の書込み開始ボタンが押されることによって、電話番号Ｎ１１〜Ｎ１３を受信し、番号記録領域２５１に電話番号Ｎ１１〜Ｎ１３を格納するため、書込み開始ボタンを押すという極めて簡単な操作で電話番号Ｎ１１〜Ｎ１３を登録することができる。その結果、電話番号発信装置２での電話番号Ｎ１１〜Ｎ１３の入力ミスが生じることはなくなり、所望の電話番号Ｎ１１〜Ｎ１３が正確に登録されることになる。
【００６６】
電話番号発信装置２は、信号処理部２５２が電話番号更新モードに設定された状態において、電話番号書込み装置１と接続されていることを前提として、番号記録領域２５１に格納されている電話番号Ｎ２１〜Ｎ２３を削除する。
【００６７】
このような構成によると、電話番号書込み装置１がない限り電話番号Ｎ２１〜Ｎ２３の削除ができず、電話番号Ｎ２１〜Ｎ２３の削除作業には、電話番号書込み装置１が必要となる。その結果、電話番号発信装置２に既に登録されている電話番号Ｎ２１〜Ｎ２３が不用意に削除されることはなくなる。
【００６８】
電話番号書込み発信装置３は、電話番号書込み装置１と、電話番号発信装置２とを含むため、電話番号書込み装置１、及び、電話番号発信装置２の前述した機能に基づき、電話する者は、所望の電話番号を極めて簡単に発信し、また、登録した電話番号を不用意に削除することがなくなる。
【００６９】
以上、好ましい実施例を参照して本発明の内容を具体的に説明したが、本発明の基本的技術思想、及び、教示に基づいて、当業者であれば、種々の変形態様を採り得ることは自明である。
【符号の説明】
【００７０】
１                  電話番号書込み装置
１１                受信用コネクタ
１３                送信用コネクタ
１５                書込み制御部
１５１              番号記録領域
１５３              信号処理部
１７                書込み操作部
２                  電話番号発信装置
２１１              第１端子
２１２              第２端子
２２                受信用コネクタ
２３                発信回路部
２４                フック検知部
２５                発信制御部
２５１              番号記録領域
２５２              信号処理部
２６                発信操作部
２７                切換回路部
３                  電話番号書込み発信装置
４                  ＰＣ
５                  電話機
５１〜５３          通話先１〜３
６                  通信回線
７１                接続コード
７２，７３          通信ケーブル
Ｎ１１〜Ｎ１３      電話番号
Ｎ２１〜Ｎ２３      電話番号
Ｓ１                書込み操作信号
Ｓ２                フック信号
Ｓ３１〜Ｓ３３      第１〜第３発信信号
Ｓ４１              切換開始信号
Ｓ４２              切換終了信号
【図１】
2015126363.tif 000003
【図２】
2015126363.tif 000004
【図３】
2015126363.tif 000005
【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
電話番号書込み装置に用いられる電話番号発信装置であって、第１端子と、第２端子と、受信用コネクタと、発信制御部とを含んでおり、
前記電話番号書込み装置は、第１の外部装置が送信する電話番号を格納し、かつ、前記格納した電話番号を第２の外部装置としての前記電話番号発信装置に送信するものであり、
前記第１端子は、電話機に接続されるものであり、
前記第２端子は、通信回線に接続されるものであり、
前記受信用コネクタは、前記電話番号書込み装置に接続されるものであり、
前記発信制御部は、その内部に格納された電話番号を前記通信回線に送信する機能を有するものあって、電話番号更新モードに設定された状態において、前記受信用コネクタに前記電話番号書込み装置が接続されていることを前提として、前記内部に格納された電話番号を削除し、前記電話番号書込み装置の送信した電話番号を格納する、
電話番号発信装置。
【請求項２】
第１の外部装置が送信する電話番号を格納し、かつ、前記格納した電話番号を第２の外部装置に送信する電話番号書込み装置であって、
前記第２の外部装置は、請求項１に記載された電話番号発信装置である、
電話番号書込み装置。
【請求項３】
電話番号発信装置と、電話番号書込み装置とを含む電話番号書込み発信装置であって、
前記電話番号発信装置は、請求項１に記載された電話番号発信装置であり、
前記電話番号書込み装置は、請求項２に記載された電話番号書込み装置である、
電話番号書込み発信装置。
【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
第１の外部装置が送信する電話番号を格納し、かつ、前記格納した電話番号を第２の外部装置としての電話番号発信装置に送信する電話番号書込み装置とともに用いられる電話番号発信装置であって、第１端子と、第２端子と、受信用コネクタと、発信制御部とを含んでおり、
前記第１端子は、電話機に接続されるものであり、
前記第２端子は、通信回線に接続されるものであり、
前記受信用コネクタは、前記電話番号書込み装置に接続されるものであり、
前記発信制御部は、その内部に格納された電話番号を前記通信回線に送信する機能を有するものあって、電話番号更新モードに設定された状態において、前記受信用コネクタに前記電話番号書込み装置が接続されていることを前提として、前記内部に格納された電話番号を削除し、前記電話番号書込み装置の送信した電話番号を格納する、
電話番号発信装置。
【請求項２】
第１の外部装置が送信する電話番号を格納し、かつ、前記格納した電話番号を第２の外部装置に送信する電話番号書込み装置であって、
前記第２の外部装置は、請求項１に記載された電話番号発信装置である、
電話番号書込み装置。
【請求項３】
電話番号発信装置と、電話番号書込み装置とを含む電話番号書込み発信装置であって、
前記電話番号発信装置は、請求項１に記載された電話番号発信装置であり、
前記電話番号書込み装置は、請求項２に記載された電話番号書込み装置である、
電話番号書込み発信装置。
【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
第１の外部装置が送信する電話番号を格納し、かつ、前記格納した電話番号を第２の外部装置としての電話番号発信装置に送信する電話番号書込み装置とともに用いられる電話番号発信装置であって、第１端子と、第２端子と、受信用コネクタと、発信制御部とを含んでおり、
前記第１端子は、電話機に接続されるものであり、
前記第２端子は、通信回線に接続されるものであり、
前記受信用コネクタは、前記電話番号書込み装置に接続されるものであり、
前記発信制御部は、その内部に格納された電話番号を前記通信回線に送信する機能を有するものあって、電話番号更新モードに設定された状態において、前記受信用コネクタに前記電話番号書込み装置が接続されていることを前提として、前記内部に格納された電話番号を削除し、前記電話番号書込み装置の送信した電話番号を格納する、
電話番号発信装置。